(57)【要約】【課題】  巾木や化粧パネルの木口に設けられた嵌合溝に挿入しやすく、また、一旦嵌合溝に挿入した後にも簡単に引き出すことができる不陸調整材を提供すること。【解決手段】  巾木１０の下木口に設けられた嵌合溝１１に挿入される挿入端２を一端に備え、他端に床２１に当接される舌片３を備えた不陸調整材１であって、挿入端２は、板状の基板４と、この基板４の側面に形成されるヒレ状のヒレ状片５とを備えてなり、基板４が硬質樹脂からなるとともに、ヒレ状片５及び舌片３が軟質樹脂からなるようにする。【選択図】図１
2005336782.tif 000002
【特許請求の範囲】
【請求項１】
巾木や化粧パネルの木口に設けられた嵌合溝に挿入される挿入端を一端に備え、他端に床や壁面に当接される舌片を備えた不陸調整材であって、
前記挿入端は、板状の基板と、この基板の側面に形成されるヒレ状のヒレ状片とを備えてなり、
前記基板が硬質樹脂からなるとともに、前記ヒレ状片及び舌片が軟質樹脂からなることを特徴とする不陸調整材。
【請求項２】
前記基板の一方の側面にのみヒレ状片が設けられてなるとともに、他方の側面には凹凸部が設けられ、
前記挿入端に該不陸調整材を嵌合溝から引き出すための掛り部が設けられてなることを特徴とする請求項１に記載の不陸調整材。
【請求項３】
前記掛り部が、前記挿入端の凹凸部が設けられた側面と同じ側に設けられてなることを特徴とする請求項２に記載の不陸調整材。
【発明の詳細な説明】
【技術分野】
【０００１】
本発明は、巾木や化粧側パネルの木口に取り付けられて床や壁面との隙間を無くすための不陸調整材に関するものである。
【背景技術】
【０００２】
従来より、図５に示すような、巾木の木口に設けられた嵌合溝に挿入される挿入端３１と、床に当接される舌片３２とを備えた不陸調整材３０が知られている（特許文献１）。
【０００３】
このような不陸調整材３０においては、挿入端３１を形成する材料として硬質樹脂が用いられ、また、舌片３２を形成する材料として軟質樹脂が用いられている。
【特許文献１】特開２０００−２７３９７６公報
【発明の開示】
【発明が解決しようとする課題】
【０００４】
しかしながら、上記特許文献１における不陸調整材３０においては、挿入端３１が硬質樹脂からなるため、巾木の木口に設けられた嵌合溝との寸法バラツキによって嵌合溝に挿入するのが困難であったり、あるいは一旦嵌合溝に挿入した後、舌片３２と床との隙間を調整するために不陸調整材３０を引き出す場合に固くて引き出しにくいことがあった。
【０００５】
また、仮に、挿入端３１を軟質樹脂で形成したとしても、挿入端３１自体の強度が下がるために、挿入端３１を嵌合溝に挿入しようとしても挿入端３１が変形して嵌合溝の奥まで挿入することが困難となるおそれがあった。
【０００６】
本発明は、かかる事由に鑑みてなしたもので、その目的とするところは、巾木や化粧パネルの木口に設けられた嵌合溝に挿入しやすく、また、一旦嵌合溝に挿入した後にも簡単に引き出すことができる不陸調整材を提供することにある。
【課題を解決するための手段】
【０００７】
上記課題を解決するために、本発明では、第１には、巾木や化粧パネルの木口に設けられた嵌合溝に挿入される挿入端を一端に備え、他端に床や壁面に当接される舌片を備えた不陸調整材であって、前記挿入端は、板状の基板と、この基板の側面に形成されるヒレ状のヒレ状片とを備えてなり、前記基板が硬質樹脂からなるとともに、前記ヒレ状片及び舌片が軟質樹脂からなるようにする。
【０００８】
第２には、前記基板の一方の側面にのみヒレ状片が設けられてなるとともに、他方の側面には凹凸部が設けられ、前記挿入端に該不陸調整材を嵌合溝から引き出すための掛り部が設けられてなるようにする。
【０００９】
第３には、前記掛り部が、前記基板の凹凸部が設けられた側面と同じ側に設けられてなるようにする。
【発明の効果】
【００１０】
上記本発明の第１の不陸調整材では、巾木や化粧パネルの木口に設けられた嵌合溝に容易に挿入することができ、また、一旦嵌合溝に挿入した後にも簡単に引き出すことができるので、不陸調整材を一旦嵌合溝に挿入した後に床や壁面の不陸の状況に合わせて、不陸調整材の嵌合溝への出し入れ量を容易に調整することができるので、施工性に優れている。
【００１１】
上記本発明の第２の不陸調整材では、上記第１の不陸調整材と同様の効果が得られ、また、基板の一方の側面に設けられた凹凸部によって、嵌合溝内面との摩擦を大きくすることができ、その結果、嵌合溝から不陸調整材が不用意に抜けてしまうのを防止することができる。また、挿入端に掛り部が設けられているので、外部からヘラやマイナスドライバ等の工具を用いて不陸調整材を嵌合溝から簡単に引き出すことができる。
【００１２】
上記本発明の第３の不陸調整材では、上記第１の不陸調整材と同様の効果が得られ、また、外部からヘラやマイナスドライバ等の工具を用いて不陸調整材を嵌合溝から引き出す際に、ヒレ状部の弾力を利用しながら、凹凸部を嵌合溝内面から離す方向に挿入端を押し付けた状態とすることができるので、凹凸部と嵌合溝内面との摩擦を減少させた状態で不陸調整材を引き出すことができる。その結果、よりスムーズに不陸調整材を引き出すことができる。
【発明を実施するための最良の形態】
【００１３】
（実施形態１）
本発明の実施形態１における不陸調整材１について、図１に基づいて説明する。本実施形態における不陸調整材１は、巾木１０の下木口に設けられた嵌合溝１１に挿入される挿入端２を一端に備え、他端には床２１に当接される舌片３を備えている。
【００１４】
巾木１０は、壁２０と床２１との隅部に取り付けられ、床２１の不陸によって生じた隙間Ｓを目立たなくしたり、隙間Ｓからの漏気を防ぐ役割を担うものであるが、この巾木１０だけではそれらの役割を完全に果たすことは困難である。そこで、本実施形態における不陸調整材１を用いることにより、隙間Ｓをさらに目立たなくするとともに、隙間Ｓからの漏気をさらに防ぐことができるのである。
【００１５】
挿入端２は、板状の基板４と、この基板４の両側面に形成されるヒレ状のヒレ状片５とを備えている。ここで、基板４は硬質樹脂からなるとともに、ヒレ状片５は軟質樹脂からなり、さらに、ヒレ状片５は基板４の長手方向に沿って上下に複数配列した状態で設けられている。また、舌片３は軟質樹脂からなり、基板４の下端部において長手方向に沿って設けられている。
【００１６】
このような構成をとることにより、挿入端２は、基板４によって十分な強度を有するとともにヒレ状片５によって弾力性も併せ持つようになる。そのため、不陸調整材１を嵌合溝１１の奥まで手操作によって簡単に且つスムーズに挿入することができ、しかも、ヒレ状片５の弾力性によって、嵌合溝１１内に安定して保持されるようになる。
【００１７】
また、一旦嵌合溝１１に挿入した後においても、手で簡単に引き出すことができるので、床２１の不陸の状況に合わせて、不陸調整材１の嵌合溝１１への出し入れ量を容易に調整することができる。
【００１８】
そして、舌片３により隙間Ｓを目立たなくするとともに、隙間Ｓからの漏気を防ぐことができる。さらに、ヒレ状片５が嵌合溝１１内面と当接しているので、嵌合溝１１内を経由する漏気も防ぐことができる。
【００１９】
以上のように、本実施形態における不陸調整材１は、挿入端２が硬質樹脂からなる基板４と、この基板４の両側面に形成されるヒレ状のヒレ状片５とを備えるため、巾木１０の木口に設けられた嵌合溝１１に容易に挿入することができ、また、一旦嵌合溝１１に挿入した後にも簡単に引き出すことができるので、床２１の不陸の状況に合わせて嵌合溝１１への出し入れ量を調整しやすく、施工性に優れている。
【００２０】
（実施形態２）
本発明の実施形態２における不陸調整材１について、図２〜４に基づいて説明する。なお、本実施形態においては主に実施形態１と異なる点について説明する。
【００２１】
本実施形態においては、図２に示すような、部屋のコーナー部等に設置されるコーナー収納ユニット２２に不陸調整材１を適用した場合について説明する。ここで、コーナー収納ユニット２２は、上面に畳２３が敷かれ、内部に収納部２４を備えてなるものであり、例えば、フローリングの床２１の上に移動自在に設置されるものであるが、特に限定されるものではない。
【００２２】
本実施形態における不陸調整材１は、図３に示すように、コーナー収納ユニット２２の側板２５の表面側に取り付けられた化粧パネル２６の下木口に設けられた嵌合溝１１に挿入される。
【００２３】
本実施形態における不陸調整材１は、基板４の一方の側面にのみヒレ状片５が設けられてなるとともに、他方の側面には凹凸部６が設けられている。ここで、凹凸部６は基板４と同じ硬質材料からなるものであり、基板４と一体に成形されたものである。
【００２４】
また、挿入端２の凹凸部６と同じ側には、不陸調整材１を嵌合溝１１から引き出すための凹状の掛り部７が設けられている。この掛り部７により、コーナー収納ユニット２２の外側から、マイナスドライバやヘラ等の工具Ａの先端部分を引っ掛けることにより、不陸調整材１を嵌合溝１１から引き出すことができ、不陸調整材１の出し入れ量を調整することができる。
【００２５】
また、基板４の一方の側面に軟質材料からなるヒレ状片５が設けられ、他方の側面には凹凸部６が設けられているので、挿入端２を嵌合溝１１に挿入する際、ヒレ状片５の弾力性を利用して嵌合溝１１の奥まで手操作によって簡単に且つスムーズに挿入することができるとともに、挿入後は凹凸部６がヒレ状片５の弾力性によって嵌合溝１１内面に押し付けられるため、凹凸部６と嵌合溝１１内面との摩擦が大きくなり、嵌合溝１１から不陸調整材１が不用意に抜けてしまうのを防止することができる。
【００２６】
また、挿入端２に不陸調整材１を嵌合溝１１から引き出すための凹状の掛り部７が設けられているので、例えば、化粧パネル２６下面と床２１との間が狭くて手指が入れられない場合においても、ヘラやマイナスドライバ等の工具Ａを用いて不陸調整材１の出し入れ量を調整することができる。
【００２７】
さらに、掛り部７が凹凸部６と同じ側に設けられているので、工具Ａの先端で挿入端２を凹凸部６側から（図３において左から右に）ヒレ状片５の弾力に反する方向に押すことができる。そのため、不陸調整材１を嵌合溝１１から引き出す際に、凹凸部６を嵌合溝１１の内面から浮かせることができ、凹凸部６と嵌合溝１１の内面との摩擦を減少させた状態で引き出すことができる。
【００２８】
このように、コーナー収納ユニット２２の化粧パネル２６の下木口に不陸調整材１を設けることにより、隙間Ｓからの漏気を防ぐとともに、コーナー収納ユニット２２の下縁付近の見栄えを良くすることができる。さらに、コーナー収納ユニット２２と床２１の間にゴミ等が入るのを防止することもできる。
【００２９】
次に、本実施形態における不陸調整材１をコーナー収納ユニット２２の側部に用いる場合について説明する。図４に示すように、コーナー収納ユニット２２の側部に嵌合溝１１が水平方向に設けられており、嵌合溝１１に不陸調整材１を横向きに挿入している。
【００３０】
ここで、不陸調整材１は凹凸部６が設けられた面が上を向くように挿入されており、これによりコーナー収納ユニット２２の上方から工具Ａの先端を掛り部７に引っ掛けて不陸調整材１の出し入れ量を調整することができる。
【００３１】
このように、コーナー収納ユニット２２の側部に不陸調整材１を設けることにより、隙間Ｓからの漏気を防ぐとともに、壁２０とコーナー収納ユニット２２との間の緩衝材としても効果を奏する。さらに、隙間Ｓにゴミ等が落ちるのを防止することもできる。
【００３２】
以上のように、本実施形態における不陸調整材１は、挿入端２が硬質樹脂からなる基板４と、この基板４の側面に形成されるヒレ状のヒレ状片５とを備えるため、化粧パネル２６の下木口や側部に設けられた嵌合溝１１に容易に挿入することができ、また、一旦嵌合溝１１に挿入した後にも簡単に引き出すことができるので、床２１や壁２０の不陸の状況に合わせて嵌合溝１１への出し入れ量を調整しやすく、施工性に優れている。
【００３３】
また、基板４の一方の側面にのみヒレ状片５が設けられてなるとともに、他方の側面には凹凸部６が設けられているので、凹凸部６と嵌合溝１１内面との摩擦を大きくすることができ、その結果、嵌合溝１１から不陸調整材１が不用意に抜けてしまうのを防止することができる。
【００３４】
また、挿入端２に掛り部７が設けられているので、外部からヘラやマイナスドライバ等の工具Ａを用いて不陸調整材１を嵌合溝１１から簡単に引き出すことができる。
【００３５】
また、掛り部７が、挿入端２の凹凸部６が設けられた側面と同じ側に設けられているので、外部からヘラやマイナスドライバ等の工具Ａを用いて不陸調整材１を嵌合溝１１から引き出す際に、ヒレ状部５の弾力を利用しながら、凹凸部６を嵌合溝１１の内面から離す方向に挿入端２を押し付けた状態とすることができるので、凹凸部６と嵌合溝１１内面との摩擦を減少させた状態で不陸調整材１を引き出すことができる。その結果、よりスムーズに不陸調整材１を引き出すことができる。
【００３６】
なお、本実施形態においては、不陸調整材１をコーナー収納ユニット２２に適用した例について説明したが、これに限定されるものではなく、実施形態１と同様に巾木の下木口等にも好適に用いられるものである。
【００３７】
また、本実施形態においては、凹凸部６を硬質材料により形成しているが、硬質材料からなる基板４の側面に軟質材料からなる凹凸部６を形成してもよい。
【図面の簡単な説明】
【００３８】
【図１】本発明の実施形態１における不陸調整材１を巾木１０の下木口に設けた場合の断面図である。
【図２】本発明の実施形態２における不陸調整材１をコーナー収納ユニット２２に設けた場合の斜視図である。
【図３】図２におけるＡ−Ａ´断面図である。
【図４】図２におけるＢ−Ｂ´断面図である。
【図５】従来の不陸調整材３０の断面図である。
【符号の説明】
【００３９】
１  不陸調整材
２  挿入端
３  舌片
４  基板
５  ヒレ状片
６  凹凸部
７  掛り部
【図１】
2005336782.tif 000003
【図２】
2005336782.tif 000004
【図３】
2005336782.tif 000005
【図４】
2005336782.tif 000006
【図５】
2005336782.tif 000007